(57)【要約】【課題】ケース内での複数枚の基板を固定しつつ薄型化を図ること。【解決手段】電子部品１３とシールド部品１４が実装された基板１０と、シールド部品１４に接着された両面テープ４０と、両面テープ４０の基板１０側の面の反対面に接着されるとともに、両面テープ４０との接着面の反対面に電子部品２１が実装された基板２０と、基板１０の両面テープ４０側の反対側に配された上ケース３ａと、電子部品２１の基板２０側の反対側に配されるとともに、上ケース３ａと組み合わされる下ケース３ｂと、基板２０と下ケース３ｂの間に配設されるとともに、電子部品２１と対応する位置に開口部３０ａを有するフレーム３０と、を備える。基板１０、両面テープ４０、基板２０よりなる組立体は、上ケース３ａと下ケース３ｂによって挟持されている。基板２０は、フレーム３０によって基板１０側に押し付けられている。【選択図】図３
2008182501.tif 000002
【特許請求の範囲】
【請求項１】
第１基板と、
前記第１基板上の所定の部分に接着された両面テープと、
前記両面テープの前記第１基板側の面の反対面に接着されるとともに、前記両面テープとの接着面の反対面に電子部品が実装された第２基板と、
前記第１基板の前記両面テープ側の反対側に配された上ケースと、
前記電子部品の前記第２基板側の反対側に配されるとともに、前記上ケースと組み合わされる下ケースと、
前記第２基板と前記下ケースの間に配設されるとともに、前記電子部品と対応する位置に開口部を有するフレームと、
を備えることを特徴とする携帯端末。
【請求項２】
前記第１基板、前記両面テープ、及び前記第２基板よりなる組立体は、前記上ケースと前記下ケースによって挟持されていることを特徴とする請求項１記載の携帯端末。
【請求項３】
前記第２基板は、前記フレームによって前記第１基板側に押し付けられていることを特徴とする請求項２記載の携帯端末。
【請求項４】
前記第２基板は、フレキシブル配線基板であることを特徴とする請求項１乃至３のいずれか一に記載の携帯端末。
【請求項５】
前記第１基板は、前記第２基板側の面に、電子部品が実装されるとともに、前記第１基板の前記電子部品のノイズを遮断するための板金よりなるシールド部品が前記電子部品を覆うように実装され、
前記両面テープは、前記第１基板の前記シールド部品に接着されていることを特徴とする請求項１乃至４のいずれか一に記載の携帯端末。
【請求項６】
前記シールド部品は、少なくとも前記第２基板と前記フレームが当接する領域を含むように前記第１基板に実装されることを特徴とする請求項５記載の携帯端末。
【発明の詳細な説明】
【技術分野】
【０００１】
本発明は、ケース内に複数枚の基板が重なって実装された携帯端末に関する。
【背景技術】
【０００２】
従来、ケース内に複数枚（例えば、２枚）の基板が重なって実装された携帯端末においては、１枚目と２枚目の基板を、樹脂や金属で形成されたフレームで固定する構成のものがある。例えば、図４を参照すると、携帯端末１０１は、中空のケースを構成する上ケース１０３ａ及び下ケース１０３ｂと、ケース内の上ケース１０３ａ側に配設された基板１１０（実装された電子部品１１１、１１３、シールド部品１１２、１１４を含む）と、ケース内の下ケース１０３ｂ側に配設された基板１２０（実装された電子部品１２１を含む）と、ケース内の基板１１０と基板１２０の間に配設されるとともに、基板１１０を固定する爪部１３０ａを有し、かつ、基板１２０を固定する爪部１３０ｂを有するフレーム１３０と、を備え、基板１１０、基板１２０、及びフレーム１３０よりなる組立体が上ケース１０３ａと下ケース１０３ｂによって挟持されている。フレーム１３０の爪部１３０ａ、１３０ｂは、基板１１０、１２０が積層方向に外れないように固定するものである。これにより、基板１１０、基板１２０、及びフレーム１３０よりなる組立体はケースに固定される。
【０００３】
【特許文献１】特開２０００−７８２５３号公報
【発明の開示】
【発明が解決しようとする課題】
【０００４】
しかしながら、図４のような構成では、基板１１０、１２０は、爪部１３０ａ、１３０ｂから外れないように撓みにくい構成であることが望ましいので、携帯端末が厚くなるといった問題がある。また、基板１１０、１２０の一方が爪部１３０ａ、１３０ｂから容易に外れる薄いフレキシブル基板の場合には、特許文献１のように基板に剛体板を貼り付ける等により剛性を上げる必要性があり、携帯端末が厚くなるという問題を回避することができなかった。
【０００５】
本発明の課題は、ケース内での複数枚の基板を固定しつつ薄型化を図ることである。
【課題を解決するための手段】
【０００６】
本発明の一視点においては、携帯端末において、第１基板と、前記第１基板上の所定の部分に接着された両面テープと、前記両面テープの前記第１基板側の面の反対面に接着されるとともに、前記両面テープとの接着面の反対面に電子部品が実装された第２基板と、前記第１基板の前記両面テープ側の反対側に配された上ケースと、前記電子部品の前記第２基板側の反対側に配されるとともに、前記上ケースと組み合わされる下ケースと、前記第２基板と前記下ケースの間に配設されるとともに、前記電子部品と対応する位置に開口部を有するフレームと、を備えることを特徴とする。
【０００７】
本発明の前記携帯端末において、前記第１基板、前記両面テープ、及び前記第２基板よりなる組立体は、前記上ケースと前記下ケースによって挟持されていることが好ましい。
【０００８】
本発明の前記携帯端末において、前記第２基板は、前記フレームによって前記第１基板側に押し付けられていることが好ましい。
【０００９】
本発明の前記携帯端末において、前記第２基板は、フレキシブル配線基板であることが好ましい。
【００１０】
本発明の前記携帯端末において、前記第１基板は、前記第２基板側の面に、電子部品が実装されるとともに、前記第１基板の前記電子部品のノイズを遮断するための板金よりなるシールド部品が前記電子部品を覆うように実装され、前記両面テープは、前記第１基板の前記シールド部品に接着されていることが好ましい。
【００１１】
本発明の前記携帯端末において、前記シールド部品は、少なくとも前記第２基板と前記フレームが当接する領域を含むように前記第１基板に実装されることが好ましい。
【発明の効果】
【００１２】
本発明によれば、第１基板と第２基板とが両面テープによって固定されるとともに、上ケースと下ケースによって挟持され、フレームによって第２基板が第１基板側に押し付けられるので、第１基板、第２基板を強固に固定することが可能となる。また、第２基板のように薄いフレキシブル配線基板を用いた場合であっても、同様に、第１基板、第２基板を強固に固定することが可能である。さらに、フレームが第２基板の電子部品以外の領域の第２基板の部位を上ケース側に押し付ける構成となっているので、第１基板、第２基板、及び両面テープよりなる組立体の厚みに影響することなく当該組立体の固定を強化することが可能となり、結果として、携帯端末の薄型化が図れる。
【発明を実施するための最良の形態】
【００１３】
（実施形態１）
本発明の実施形態１に係る携帯端末について図面を用いて説明する。図１は、本発明の実施形態１に係る携帯端末の構成を模式的に示した開状態の斜視図である。図２は、本発明の実施形態１に係る携帯端末の構成を模式的に示した部分展開斜視図である。図３は、本発明の実施形態１に係る携帯端末の構成を模式的に示した図２のＡ−Ａ´間に相当する組立後の部分断面図である。
【００１４】
図１を参照すると、携帯端末１は、第１ケース２と第２ケース３がヒンジ部４にて折り畳み可能に接続されている。第１ケース２には、画面を表示する表示部５が設けられている。第２ケース３には、複数のキーボタンが配されたボタン部６が設けられている。第２ケース３は、上ケース３ａと下ケース３ｂが組み合わされてなる。
【００１５】
第２ケース３内では、図２、図３のように、上ケース３ａと下ケース３ｂの間に、上ケース３ａ側から順に基板１０、両面テープ４０、基板２０が積層して配されており、基板２０と下ケース３ｂの間のうち基板２０の周縁部乃至外周部にフレーム３０が配されている。下ケース３ｂは、上ケース３ａと嵌合し、ネジ５０によって上ケース３ａに締結されている。
【００１６】
基板１０は、プリント配線基板である。基板１０の上ケース３ａ側の面には、電子部品１１が実装されており、電子部品１１のノイズを遮断するための板金よりなるシールド部品１２が電子部品１１を覆うように実装されている。シールド部品１２は、上ケース３ａの内部側の面と当接している。基板１０の下ケース３ｂ側の面には、電子部品１３が実装されており、電子部品１３のノイズを遮断するための板金よりなるシールド部品１４が電子部品１３を覆うように実装されている。シールド部品１４は、両面テープ４０と接着している。
【００１７】
基板２０は、フレキシブル配線基板である。基板２０の下ケース３ｂ側の面には、電子部品２１が実装されている。電子部品２１は、下ケース３ｂの内部面と当接する。なお、図２、図３では、基板２０にシールド部品が実装されていないが、電子部品２１を覆うようにシールド部品を実装してもよい。基板２０の上ケース３ａ側の面は、両面テープ４０と接着している。基板２０は、下ケース３ｂ側の面のうち電子部品２１の周囲の周縁部にてフレーム３０と当接している。
【００１８】
フレーム３０は、基板２０を上ケース３ａ側に押し付けて、基板１０、２０の固定を強化するための部材である。フレーム３０は、基板２０の電子部品２１を挿通するための開口部３０ａを有する。開口部３０ａの形状は、電子部品２１の形状（複数の電子部品２１がある場合は、各電子部品２１の形状又はその組み合わせの形状）に応じて適宜設定される。フレーム３０は、下ケース３ｂの内面と当接する凸部３０ｂを有する（図２参照）。フレーム３０は、凸部３０ｂにて下ケース３ｂが上ケース３ａ側に押し付けられることで、基板２０を上ケース３ａ側に押し付ける。フレーム３０と基板２０が当接する領域内には、基板１０のシールド部品１４が配されており、基板２０が上ケース３ａ側に押し付けられたときに反らないようにしている。
【００１９】
両面テープ４０は、基板１０のシールド部品１４上に基板２０を固定するためのものである。両面テープ４０は、基板２０側の面の全体が基板２０と接着しており、基板２０側の面の一部がシールド部品１４と接着している。
【００２０】
基板１０（実装された電子部品１１、１３、シールド部品１２、１４を含む）、基板２０（実装された電子部品２１を含む）、両面テープ４０よりなる組立体は、上ケース３ａと下ケース３ｂによって挟持されるとともに、フレーム３０によって上ケース３ａに押し付けられることでケースに固定される。
【００２１】
実施形態１によれば、基板１０と基板２０とが両面テープ４０によって固定されるとともに、上ケース３ａと下ケース３ｂによって挟持され、かつ、フレーム３０によって基板２０が基板１０側に押し付けられるので、基板１０、基板２０を強固に固定することが可能となる。また、基板２０のように薄いフレキシブル配線基板を用いた場合であっても、同様に、基板１０、基板２０を強固に固定することが可能である。さらに、フレーム３０が電子部品２１以外の領域の基板２０の部位を上ケース３ａ側に押し付ける構成となっているので、基板１０、基板２０、両面テープ４０よりなる組立体の厚みに影響することなく当該組立体の固定を強化することが可能となり、結果として、携帯端末の薄型化が図れる。
【図面の簡単な説明】
【００２２】
【図１】本発明の実施形態１に係る携帯端末の構成を模式的に示した開状態の斜視図である。
【図２】本発明の実施形態１に係る携帯端末の構成を模式的に示した部分展開斜視図である。
【図３】本発明の実施形態１に係る携帯端末の構成を模式的に示した図２のＡ−Ａ´間に相当する組立後の部分断面図である。
【図４】従来例に係る携帯端末の構成を模式的に示した部分断面図である。
【符号の説明】
【００２３】
１、１０１  携帯端末
２  第１ケース
３  第２ケース
３ａ、１０３ａ  上ケース
３ｂ、１０３ｂ  下ケース
４  ヒンジ部
５  表示部
６  ボタン部
１０、１１０  基板（第１基板）
１１、１３、１１１、１１３  電子部品
１２、１４、１１２、１１４  シールド部品
２０、１２０  基板（第２基板）
２１、１２１  電子部品
３０  フレーム
３０ａ  開口部
３０ｂ  凸部
４０  両面テープ
５０  ネジ
１３０  フレーム
１３０ａ、１３０ｂ  爪部
【図１】
2008182501.tif 000003
【図２】
2008182501.tif 000004
【図３】
2008182501.tif 000005
【図４】
2008182501.tif 000006